(57)【特許請求の範囲】
【請求項１】
吸込口及び吹出口を開口する筐体と、軸方向を横設してケーシングにより覆われる遠心ファンから成るとともに前記ケーシングの軸方向の一面に前記吸込口に対向する第１吸気口を開口して他面に第２吸気口を開口した送風ファンと、前記筐体内に立設される回路基板と、前記送風ファンと前記回路基板とを隔離するとともに第２吸気口に対向する開口部を有する隔壁と、前記吸込口と第１吸気口とを連結する吸込ダクトと、前記吸込口から前記開口部を介して第２吸気口に気流を導く補助吸込経路とを備え、前記補助吸込経路内を気流が前記回路基板に沿って下方から上方に流通するとともに、前記開口部が前記回路基板の上部に面することを特徴とする送風装置。
【請求項２】
前記隔壁の上部に下部よりも第２吸気口から離れる段差部を設け、前記開口部が第２吸気口よりも小さい開口面積を有して前記段差部上に開口することを特徴とする請求項１に記載の送風装置。
【請求項３】
前記吸込口に開口面を面して前記吸込ダクトを形成する箱状のダクト部材を備え、前記ダクト部材の前記吸込口に対向した壁面によって前記隔壁を形成し、前記補助吸込経路が前記隔壁に隣接する一側壁の下端に設けた面取りの外面と前記筐体との間によって形成されることを特徴とする請求項１または請求項２に記載の送風装置。
【請求項４】
前記送風ファンと前記吹出口とを連結する吹出ダクトと、前記吹出ダクトに正の帯電粒子及び負の帯電粒子を放出する一対の放電電極とを備え、前記放電電極を前記送風ファンの軸方向に並設したことを特徴とする請求項１〜請求項３のいずれかに記載の送風装置。
【発明の詳細な説明】
【技術分野】
【０００１】
本発明は、遠心ファンを備えた送風装置に関する。
【背景技術】
【０００２】
従来の送風装置は特許文献１に開示されている。この送風装置は上面に吹出口を開口し、対向する両側面に吸込口を開口した筐体を備えている。各吸込口にはフィルタが対向配置される。筐体内には軸方向を横設した遠心ファンから成る送風ファンが配される。
【０００３】
送風ファンはケーシングの軸方向の両面に吸気口を開口した両面吸込型に形成される。送風ファンの各吸気口はそれぞれ筐体の両側面の吸込口に対向配置される。送風ファンの排気口は上方に向けて配置される。また、筐体内には排気口と吹出口とを連結する吹出ダクトが設けられる。吹出ダクトと筐体の内壁との間には回路基板が配される。
【０００４】
送風ファンの駆動によって両吸込口から筐体内に吸い込まれた気流は吸気口を介して送風ファンに流入する。送風ファンを通過して排気口から流出した気流は吹出ダクトを上昇し、吹出口から送出される。
【先行技術文献】
【特許文献】
【０００５】
【特許文献１】特開２０１０−８０４２５号公報（第６頁−第１４頁、第１図）
【発明の概要】
【発明が解決しようとする課題】
【０００６】
しかしながら、上記従来の送風装置によると、回路基板の発熱による筐体内の電装部品の故障を防止するために、筐体内に回路基板の放熱スペースを大きく設ける必要がある。これにより、送風装置が大型になる問題があった。
【０００７】
本発明は、小型化を図ることのできる送風装置を提供することを目的とする。
【課題を解決するための手段】
【０００８】
上記目的を達成するために本発明は、吸込口及び吹出口を開口する筐体と、軸方向を横設してケーシングにより覆われる遠心ファンから成るとともに前記ケーシングの軸方向の一面に前記吸込口に対向する第１吸気口を開口して他面に第２吸気口を開口した送風ファンと、前記筐体内に立設される回路基板と、前記送風ファンと前記回路基板とを隔離するとともに第２吸気口に対向する開口部を有する隔壁と、前記吸込口と第１吸気口とを連結する吸込ダクトと、前記吸込口から前記開口部を介して第２吸気口に気流を導く補助吸込経路とを備え、前記補助吸込経路内を気流が前記回路基板に沿って下方から上方に流通するとともに、前記開口部が前記回路基板の上部に面することを特徴としている。
【０００９】
この構成によると、送風ファンが駆動されると吸込口から吸込ダクトに吸い込まれた気流が第１吸気口を介して送風ファンのケーシング内に流入する。また、一部の気流は補助吸込経路を流通し、隔壁の回路基板側を回路基板に沿って上昇する気流によって回路基板が冷却される。回路基板に沿って上昇した気流は回路基板の上部に面した開口部を介して隔壁の送風ファン側に導かれ、第２吸気口を介して送風ファンのケーシング内に流入する。送風ファンから流出した気流は吹出口から送出される。
【００１０】
また本発明は、上記構成の送風装置において、前記隔壁の上部に下部よりも第２吸気口から離れる段差部を設け、前記開口部が第２吸気口よりも小さい開口面積を有して前記段差部上に開口することを特徴としている。この構成によると、補助吸込通路を流通する気流は、隔壁が送風ファンに接近して回路基板から離れた下部から回路基板に沿って上昇する。そして、該気流は隔壁と送風ファンとが離れた段差部上の開口部を介して送風ファンの第２吸気口に導かれる。
【００１１】
また本発明は、上記構成の送風装置において、前記吸込口に開口面を面して前記吸込ダクトを形成する箱状のダクト部材を備え、前記ダクト部材の前記吸込口に対向した壁面によって前記隔壁を形成し、前記補助吸込経路が前記隔壁に隣接する一側壁の下端に設けた面取りの外面と前記筐体との間によって形成されることを特徴としている。
【００１２】
この構成によると、箱状のダクト部材の開口面が吸込口に面し、吸込口から吸い込まれた気流がダクト部材により形成した吸込ダクトを流通して送風ファンの第１吸気口に導かれる。吸込口から吸い込まれた気流の一部はダクト部材の一側壁の下端に設けた面取りと筐体との間を吸込ダクトと平行方向に流通し、回路基板に導かれる。
【００１３】
また本発明は、上記構成の送風装置において、前記送風ファンと前記吹出口とを連結する吹出ダクトと、前記吹出ダクトに正の帯電粒子及び負の帯電粒子を放出する一対の放電電極とを備え、前記放電電極を前記送風ファンの軸方向に並設したことを特徴としている。この構成によると、放電電極から放出された正の帯電粒子及び負の帯電粒子が吹出ダクトを流通する気流に含まれ、吹出口から送出される。
【発明の効果】
【００１４】
本発明によると、吸込口から第１吸気口に気流を導く吸込ダクトと、回路基板の上部に面した開口部を介して第２吸気口に気流を導く補助吸込経路とを備え、補助吸込経路内を回路基板に沿って下方から上方に気流が流通する。これにより、開口部に向けて上昇する気流によって回路基板の下部から上部まで冷却することができる。従って、回路基板の筐体内の放熱スペースを小さくして送風装置の小型化を図ることができる。
【図面の簡単な説明】
【００１５】
【図１】本発明の実施形態の送風装置を示す上面図
【図２】本発明の実施形態の送風装置を示す底面図
【図３】本発明の実施形態の送風装置を示す左側面図
【図４】本発明の実施形態の送風装置を示す背面図
【図５】本発明の実施形態の送風装置を示す右側面断面図
【図６】本発明の実施形態の送風装置を示す正面断面図
【図７】本発明の実施形態の送風装置の吹出口を閉じた状態を示す右側面断面図
【図８】本発明の実施形態の送風装置を示す背面断面図
【図９】本発明の実施形態の送風装置の保持部材及びイオン発生素子を示す斜視図
【図１０】本発明の実施形態の送風装置の底板を取り外した状態を示す右側面断面図
【図１１】本発明の実施形態の送風装置の電源プラグを取り外した状態を示す底面図
【図１２】本発明の実施形態の送風装置の風向板を省いた上面図
【発明を実施するための形態】
【００１６】
＜第１実施形態＞
以下に本発明の実施形態を図面を参照して説明する。図１、図２、図３、図４は一実施形態の送風装置の上面図、底面図、左側面図及び背面図を示している。送風装置１は立方体形状の筐体２を備え、筐体２の左側面に吸込口２ａ（図６参照）を開口して上面に吹出口２ｂを開口する。吹出口２ｂは円形に形成され、筐体２に対して上下移動可能に支持された風向板１０が吹出口２ｂに対向配置される。
【００１７】
筐体２の底板３は着脱可能に設けられ、底板３の四隅にゴム脚４が設けられる。これにより、送風装置１を卓上等に設置して使用することができる。また、筐体２の背面には室内の壁面に設けたフックに掛止される掛止孔２ｃが設けられる。これにより、送風装置１を壁面に掛けて使用することもできる。
【００１８】
筐体２の底面の右端部には電源コード５が接続される。電源コード５は一端に設けられるプラグ６を底板３に設けた挿通孔３ａ（図６参照）を介して端子部３５（図６参照）に差し込んで接続される。電源コード５の他端を商用電源やＵＳＢ端子等の電力供給源に接続して送風装置１に電力を供給する。
【００１９】
図５、図６は送風装置１の右側面断面図及び正面断面図を示している。風向板１０は吹出口２ｂと略同径の円形の平面形状を有し、下面１０ａが傾斜面から成る略円錐台形状に形成される。風向板１０の中心部にはスリーブ１１が取り付けられる。スリーブ１１は筐体２に配した軸部１７に嵌合し、風向板１０と一体に筐体２に対して上下移動可能になっている。軸部１７は後述する導光板２５の中央に開口する貫通孔２５ｄを貫通し、筐体２内に配したダクト部材３２に支持される。
【００２０】
軸部１７には第１、第２係止爪１７ａ、１７ｂが上下方向に並設されるとともに、風向板１０を上方に付勢する圧縮バネ１６が設けられる。スリーブ１１内には第１、第２係止爪１７ａ、１７ｂに係合する係合部材１２が取り付けられる。ダクト部材３２の上面には電源スイッチ１８が配される。
【００２１】
圧縮バネ１６により付勢される風向板１０は第１、第２係止爪１７ａ、１７ｂと係合部材１２との係合によって吹出口２ｂを開放する位置と閉じる位置との間を移動する。即ち、同図に示すように係合部材１２が第２係止爪１７ｂに係合すると、吹出口２ｂが開放される。この時、電源スイッチ１８はオン状態となる。
【００２２】
吹出口２ｂの開放状態から風向板１０を押下して図７に示すように係合部材１２が第１係止爪１７ａに係合すると、風向板１０により吹出口２ｂが閉じられる。この時、スリーブ１１が電源スイッチ１８に接触して電源スイッチ１８がオフ状態となる。また、吹出口２ｂを閉じた状態から風向板１０を押下すると、図５に示すように風向板１０がポップアップする。
【００２３】
これにより、風向板１０の上下動によって電源スイッチ１８がオンオフされ、電源スイッチ１８のオン状態で後述する送風ファン３０、イオン発生素子４０及びＬＥＤ２６が駆動される。また、吹出口２ｂが開放されると、吹出口２ｂと略同径の風向板１０によって吹出口２ｂと風向板１０との間から気流を放射状に送出させる環状の流出部８が形成される。
【００２４】
ダクト部材３２は筐体２内の下部に配され、一端の開口面を吸込口２ａに面した箱状に形成される。ダクト部材３２内にはケーシング３０ａにより覆われたシロッコファン等の遠心ファンから成る送風ファン３０が配される。送風ファン３０は軸方向を横設してダクト部材３２の右側壁から成るファン保持部３２ａにネジ止めして保持される。
【００２５】
ケーシング３０ａには軸方向の両面に吸気口３０ｂ、３０ｃ（第１、第２吸気口）が開口し、周方向の端面に排気口３０ｄが開口する。ダクト部材３２によって吸込口２ａと一方の吸気口３０ｂとを連結する吸込ダクト２０が形成される。また、吸込口２ａには筐体２の底面から着脱可能なフィルタ２３が配される。
【００２６】
ダクト部材３２の右側壁の上部には下部に対して吸気口３０ｃから離れた段差部３２ｅが形成される。段差部３２ｅには吸気口３０ｃに対向して吸気口３０ｃよりも開口面積の小さい開口部３２ｂが開口する。ダクト部材３２の背面側の吸込口２ａに面した右端部には切欠き部３２ｄ（図８参照）が設けられる。ダクト部材３２の背面側の底部には面取り３２ｃが施され、面取り３２ｃと筐体２の内面との間に吸込ダクト２０に平行な通路５０ａを形成する。
【００２７】
ダクト部材３２の右方には端子部３５等の電子部品を実装した回路基板３４が立設して配置される。これにより、ファン保持部３２ａによって送風ファン３０と回路基板３４とを隔離する隔壁が形成され、隔壁の外面と筐体２の内面との間に通路５０ｂが形成される。
【００２８】
送風ファン３０の駆動によって吸込口２ａから吸込ダクト２０に流入する気流は矢印Ａ１に示すように吸気口３２ｂに導かれる。また、一部の気流は図８の背面断面図に矢印Ａ２で示すように、切欠き部３２ｄを介して吸込ダクト２０から流出して下方に流通し、面取り３２ｃの外側の通路５０ａを右方（図中、左方）に流通する。そして、該気流は回路基板３４に沿って通路５０ｂを上方に流通し、開口部３２ｂを介して吸気口３２ｃに導かれる。
【００２９】
従って、通路５０ａ、５０ｂは吸込ダクト２０から分岐して吸込口２ａから吸気口３０ｃに気流を導く補助吸込経路を構成する。これにより、複数の経路を介して送風ファン３０の軸方向の両面から気流を吸い込み、送風効率を向上することができる。また、軸方向の流量の偏りを防止して均一な気流を送風ファン３０から送出することができる。尚、切欠き部３２ｄを設けずに、吸込口２ａに臨む補助吸込経路を形成してもよい。
【００３０】
また、通路５０ｂを流通する気流によって回路基板３４に実装される電子部品を冷却することができる。この時、開口部３２ｂはダクト保持部３２ａの上部の段差部３２ｅ上に設けられ、立設した回路基板３４の上部に対向して吸気口３０ｃよりも小径に形成される。これにより、下方から開口部３２ｂに向かって流通する気流によって回路基板３４の下部から上部まで確実に冷却することができる。
【００３１】
また、ダクト保持部３２ａが段差部３２ｅの下方で送風ファン３０に接近するため、通路５０ｂは通路５０ａから気流が屈曲して流入する下部の流路を広く確保される。加えて、段差部３２ｅによって吸気口３０ｃとダクト保持部３２ａとが離れるため、小径の開口部３２ｂから気流を拡散して大径の吸気口３０ｃに導くことができる。従って、送風効率をより向上することができる。
【００３２】
送風ファン３０の排気口３０ｄの前方には第１吹出ダクト２１が設けられる。第１吹出ダクト２１の上方には吹出口２ｂを開口する第２吹出ダクト２２が設けられる。第１吹出ダクト２１と第２吹出ダクト２２とは後述する導光板２５の連通口２５ｂを介して連通する。
【００３３】
第１吹出ダクト２１の上部はダクト部材３２により形成され、下部はイオン発生素子４０を保持して排気口３０ｄに隣接する保持部材４５により形成される。図９はイオン発生素子４０を保持した保持部材４５の斜視図を示している。保持部材４５は排気口３０ｄと左右方向の幅が略等しい開口部４５ｂを後端面に開口して左右方向に流路を拡幅した屈曲部４５ａを有している。
【００３４】
屈曲部４５ａの前壁４５ｃは送風ファン３０のケーシング３０ａの下端に連続した曲面により形成され、排気口３０ｄに傾斜して対向する。これにより、屈曲部４５ａを介して気流が屈曲して上方に導かれる。この時、排気口３０ｂから送出される気流は屈曲部４５ａの前壁４５ｃに衝突し、動圧を静圧に変換されて減速する。また、屈曲部４５ａによる流路の拡幅によっても動圧が静圧に変換され、気流が更に減速する。従って、屈曲部４５ａは気流の動圧を静圧に変換する静圧変換部を構成する。
【００３５】
また、屈曲部４５ａの前壁４５ｃには開口部４５ｂに対向した中央部に上下に延びた仕切板４５ｄが設けられる。
【００３６】
イオン発生素子４０は第１吹出ダクト２１に面して左右方向（送風ファン３０の軸方向）に並設される一対の針状の放電電極４１を有している。放電電極４１は屈曲部４５ａの直上に配され、両放電電極４１間の距離は開口部４５ｂの幅よりも広く形成される。
【００３７】
イオン発生素子４０の放電電極４１は交流波形またはインパルス波形から成る高電圧の印加によってコロナ放電が発生する。一方の放電電極４１には正電圧が印加され、コロナ放電により空気中の水分子が電離して水素イオンが生成される。この水素イオンが溶媒和エネルギーにより空気中の水分子とクラスタリングする。これにより、Ｈ+（Ｈ2Ｏ）ｍ（ｍは０または任意の自然数）から成る空気イオンの正イオンが放出される。
【００３８】
他方の放電電極４１には負電圧が印加され、コロナ放電により空気中の酸素分子または水分子が電離して酸素イオンが生成される。この酸素イオンが溶媒和エネルギーにより空気中の水分子とクラスタリングする。これにより、Ｏ2-（Ｈ2Ｏ）ｎ（ｎは任意の自然数）から成る空気イオンの負イオンが放出される。
【００３９】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、正イオン及び負イオンを吹出口２ｂから室内に送出することにより、室内の殺菌及び臭い除去を行うことができる。
【００４０】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４１】
一対の放電電極４１を気流に垂直な左右方向に並設することにより、正イオンと負イオンとの衝突による消滅を抑制してイオンの送出量を増加させることができる。
【００４２】
また、放電電極４１が屈曲部４２ａの直上に配されるため、屈曲部４２ａにより静圧に変換して減速された気流に放電電極４１で発生したイオンが含まれる。これにより、放電電極４１で発生したイオンを確実に気流によって搬送することができ、イオンの送出量を増加させることができる。
【００４３】
この時、両放電電極４１間の距離が開口部４５ｂの幅よりも大きく、放電電極４１が開口部４５ｂの両側方に配置されるため、より確実に減速した気流にイオンを含ませることができる。また、送風ファン３０が両面に吸気口３０ｂ、３０ｃを有して軸方向に均一に気流を送出するため、各放電電極４１の周囲を流通する気流の流量を略同量にすることができる。加えて、仕切板４５ｄによって各放電電極４１の周囲を流通する気流の流量をより均一化することができる。従って、正イオン及び負イオンを均一に含む気流を送出することができる。
【００４４】
保持部材４５は図１０に示すように、底板３を取り外して筐体２の底面から着脱することができる。これにより、イオン発生素子４０を容易に交換することができる。加えて、保持部材４５の脱着によって露出する排気口３０ｄを介して送風ファン３０の羽根３０ｅ（図６参照）を清掃することができる。また、フィルタ２３（図６参照）も同様に底板３を取り外して筐体２の底面から着脱することができ、容易にフィルタ２３の清掃を行うことができる。
【００４５】
尚、イオン発生素子４０は上面に接続端子４０ａを有している。イオン発生素子４０を保持部材４５とともに下方から装着した際に、筐体２内に設けた端子部４２（図５参照）に接続端子４０ａが接触してイオン発生素子４０に電力供給可能になる。このため、端子部４２にイオン発生素子４０の重量が加重されず、重量が加重され続けることによる端子部４２の故障を防止することができる。
【００４６】
筐体２の底板３は図１１の底面図に示すように電源コード５のプラグ６（図６参照）が取り外された状態で、取り外し可能になっている。これにより、底板３を取り外した際に通電されることによる感電を防止することができる。
【００４７】
図５、図６において、第１吹出ダクト２１の上面には導光板２５が水平に配される。導光板２５はアクリル等の透明部材により平板状に形成され、後端面の入射面２５ａに対向してＬＥＤ２６（光源）が配される。導光板２５の下面には反射シート（不図示）が配される。
【００４８】
ＬＥＤ２６から出射された光は入射面２５ａから導光板２５に入射して導光し、上下面に臨界角よりも小さい入射角で入射した光が出射される。この時、導光板２５の下面から出射される光は反射シートで上方に反射する。これにより、導光板２５の上面（出射面）から吹出口２ｂに向けて光が出射される。尚、導光板２５の下面に導光を上方に反射する複数のプリズムを設けてもよい。
【００４９】
導光板２５の中央部には軸部１７が貫通する貫通孔２５ｄが開口し、貫通孔２５ｄに対して入射面２５ａと反対側の前部には連通口２５ｂが開口する。第１吹出ダクト２１は筐体２の前部に配されるため、第１吹出ダクト２１に面した連通口２５ｂは吹出口２ｂに対して偏心した前部に設けられる。
【００５０】
導光板２５の上方には第２吹出ダクト２２が設けられる。第２吹出ダクト２２は上面に吹出口２ｂを有し、吹出口２ｂと同心の筒状に形成される。第２吹出ダクト２２の内壁２２ａの縦断面は下方が狭い曲線状に形成される。
【００５１】
図１２は風向板１０を省いた筐体２の上面図を示している。導光板２５の連通口２５ｂには第１吹出ダクト２１を上昇する気流を前方に導く風向可変部２５ｃが下方に突出して格子状に設けられる。第２吹出ダクト２２の前部には内壁２２ａに凹設される凹部２２ｂが設けられる。凹部２２ｂの内面は縦断面が直線の円錐面から成り、凹部２２ｂの下端は連通口２５ｂに沿って形成されるとともに上端は吹出口２ｂの周縁の内側に形成される。
【００５２】
上記構成の送風装置１において、風向板１０をポップアップして吹出口２ｂが開放されると、送風ファン３０、イオン発生素子４０及びＬＥＤ２６が駆動される。吸込口２ａから筐体２内に流入する気流の塵埃はフィルタ２３により捕集され、矢印Ａ１に示すように吸込ダクト２３を流通して吸気口３０ｂから送風ファン３０に導かれる。また、一部の気流が矢印Ａ２に示すようにダクト部材３２の外側の通路５０ａ、５０ｂを流通して吸気口３０ｃから送風ファン３０に導かれる。
【００５３】
送風ファン３０の排気口３０ｄから送出された気流は矢印Ｂ１（図５参照）に示すように第１吹出ダクト２１を上昇する。この時、イオン発生素子４０で発生したイオンが気流に含まれる。イオンを含む気流は連通口２５ｂを介して第２吹出ダクト２２に流入して矢印Ｂ２（図５参照）に示すように上昇し、流出部８から矢印Ｂ３に示すように放射状に送出される。
【００５４】
この時、筐体２の前部に配した連通口２５ｂから第２吹出ダクト２２に気流が流入するとともに、風向可変部２５ｃにより気流が前方に案内される。また、凹部２２ｂによって第２吹出ダクト２２と風向板１０との間の前部の流路幅が広げられる。これらにより、送風装置１の前方に周囲よりも多くの気流が送出される。
【００５５】
従って、送風装置１の前方正面に面した使用者の頭部等に向けてイオンを含む多くの気流が送出され、使用者に清涼感を与えるとともに使用者近傍の殺菌等を行うことができる。また、送風装置１の側方及び後方に送出したイオンを含む気流によって周囲の殺菌や空気の循環等を行うことができる。
【００５６】
また、ＬＥＤ２６の駆動によって導光板２５を導光する光は吹出口２ｂに向けて出射され、風向板１０の下面１０ａで放射状に反射する。これにより、送風装置１の周囲の間接照明を行うことができる。この時、連通口２５ｂによって導光板２５の前部から出射される光が少なくなる。このため、送風装置１の前方正面に面した使用者のまぶしさを低減することができる。また、連通口２５ｂが軸部１７に対して入射面２５ａと反対側に配置されるため、導光板２５の前部から出射される光をより少なくすることができる。
【００５７】
本実施形態によると、吸込口２ａから吸気口３０ｂに気流を導く吸込ダクト２０と、回路基板３４の上部に面した開口部３２ｂを介して吸気口３０ｃに気流を導く通路５０ａ、５０ｂ（補助吸込経路）とを備え、通路５０ｂ内を回路基板３４に沿って下方から上方に気流が流通する。これにより、開口部３２ｂに向けて上昇する気流によって回路基板３４の下部から上部まで冷却することができる。従って、回路基板３４の筐体２内の放熱スペースを小さくして送風装置１の小型化を図ることができる。
【００５８】
また、送風ファン３０が複数の経路（２０、５０ａ、５０ｂ）を介して軸方向の両面から気流を吸い込む両面吸込型に構成される。このため、片面吸込型の送風ファンに比して送風効率を向上することができるとともに、軸方向の流量の偏りを防止して均一な気流を送出することができる。
【００５９】
また、ファン保持部３２ａ（隔壁）の上部に下部よりも吸気口３０ｃから離れて形成される段差部３２ｅ上に吸気口３０ｃよりも小さい開口面積を有した開口部３２ｂが開口する。これにより、通路５０ａから気流が屈曲して流入する通路５０ｂの下部の流路を広く確保することができる。加えて、段差部３２ｅによって吸気口３０ｃとダクト保持部３２ａとが離れるため、小径の開口部３２ｂから気流を拡散して大径の吸気口３０ｃに導くことができる。従って、送風効率をより向上することができる。
【００６０】
また、吸込口２ａに対向したダクト保持部３２ａ（隔壁）に隣接する一側壁（背面側）の下端に面取り３２ｃを設け、面取り３２ｃの外面と筐体２との間によって通路５０ａ（補助吸込経路）が形成される。従って、吸気口３０ｃに気流を導く通路５０ａを容易に実現することができる。
【００６１】
また、第１吹出ダクト２１に正イオン及び負イオンを放出する一対の放電電極４１を送風ファン３０の軸方向に並設したので、軸方向に均一に流通する気流に正イオン及び負イオンを均一に含ませることができる。従って、イオンの送出による殺菌効果や脱臭効果を向上することができる。
【００６２】
本実施形態において、イオン発生素子４０によって空気中の水分と結合したイオンを含む気流を送出しているが、他の帯電粒子を送出してもよい。例えば、帯電粒子として帯電微粒子水を送出してもよい。具体的には、静電霧化装置によってラジカル成分を含む帯電微粒子水を生成することができる。即ち、静電霧化装置に設けた放電電極をペルチェ素子による冷却等によって放電電極の表面に結露水を生じさせる。そして、放電電極にマイナスの高電圧を印加すると、結露水から帯電微粒子水が生成される。
【産業上の利用可能性】
【００６３】
本発明は、遠心ファンを備えた卓上の送風装置に利用することができる。
【符号の説明】
【００６４】
１    送風装置
２    筐体
２ａ  吸込口
２ｂ  吹出口
３    底板
３ａ  挿通孔
４    ゴム脚
５    電源コード
６    プラグ
８    流出部
１０    風向板
１１    スリーブ
１２    係合部材
１６    圧縮バネ
１７    軸部
１８    電源スイッチ
２０    吸込ダクト
２１    第１吹出ダクト
２２    第２吹出ダクト
２２ｂ  凹部
２３    フィルタ
２５    導光板
２５ａ  入射面
２５ｂ  連通口
２５ｃ  風向可変部
２６    ＬＥＤ
３０    送風ファン
３０ａ  ケーシング
３０ｂ、３０ｃ  吸気口
３０ｄ  排気口
３２    ダクト部材
３２ａ  ファン保持部
３２ｂ  開口部
３２ｅ  段差部
３４    回路基板
３５    端子部
４０    イオン発生素子
４１    放電電極
４２    端子部
４５    保持部材
４５ａ  屈曲部
５０ａ、５０ｂ  通路
【図１】
0005916114.tif 000002
【図２】
0005916114.tif 000003
【図３】
0005916114.tif 000004
【図４】
0005916114.tif 000005
【図５】
0005916114.tif 000006
【図６】
0005916114.tif 000007
【図７】
0005916114.tif 000008
【図８】
0005916114.tif 000009
【図９】
0005916114.tif 000010
【図１０】
0005916114.tif 000011
【図１１】
0005916114.tif 000012
【図１２】
0005916114.tif 000013